(57)【要約】  【課題】  最適な幅の黒線を挿入することにより、残像およびチラツキを防止できるようにした液晶表示装置を提供する。  【解決手段】  液晶表示パネル部のサイズ情報と液晶画素の画素数情報と液晶表示パネル部の明るさ情報と液晶画素の表示変化速度情報とに基づいて設定された黒線の本数が例えば１本であったとすると、この１本の黒線は１フレーム期間で順次下方向に走査され、１フレーム期間に垂直方向の画素数分全体の走査が完了する。このような処理により、画面はフレーム毎に全面的に映像が置き換わるのでは無く、水平方向の１画素幅分が順次置き換わることになる。したがって、液晶表示パネル部は処理的には残像が軽減されると共にチラツキ感も少ないものとなり、この結果、視覚的には残像およびチラツキを感じさせないものとなる。【選択図】      図３
2006301213.tif 000002
【特許請求の範囲】
【請求項１】
液晶画素に相当する表示素子と該表示素子を駆動させるスイッチング素子と有する液晶
表示セルが複数個マトリックス状に配列された液晶表示パネル部と、この液晶表示パネル
部の同一の行方向の液晶表示セル群における各スイッチング素子の制御端子にそれぞれ接
続された行方向の制御線群と、この制御線群の制御線を選択走査して該当スイッチング素
子の制御端子に制御信号を供給する制御信号供給部と、前記液晶表示パネル部の同一の列
方向の液晶表示セル群における各スイッチング素子の映像信号端子にそれぞれ接続された
列方向の映像信号線群と、この映像信号線群の映像信号線を選択走査して該当スイッチン
グ素子の映像信号端子に映像信号を供給する映像信号供給部とを備えた液晶表示装置にお
いて、前記液晶表示パネル部の各液晶表示セルに設けられ各表示素子に黒線信号を印加す
る各黒線信号印加用スイッチング素子と、各黒線信号印加用スイッチング素子の黒制御端
子にそれぞれ接続された行方向の黒制御線群と、この黒制御線群の黒制御線を選択走査し
て該当黒線信号印加用スイッチング素子の黒制御端子に黒線制御信号を供給する黒線制御
信号供給部と、同一の列方向の各黒線信号印加用スイッチング素子の黒線信号端子にそれ
ぞれ接続された列方向の黒線信号線群と、この黒線信号線群の黒線信号線を選択走査して
該当黒線信号印加用スイッチング素子の黒線信号端子に黒線信号を供給する黒線信号供給
部と、前記制御信号供給部と前記映像信号供給部と前記黒線制御信号供給部と前記黒線信
号供給部とを制御する制御部と、前記液晶表示パネル部のサイズ情報と前記液晶画素の画
素数情報と前記液晶表示パネル部の明るさ情報と前記液晶画素の表示変化速度情報とを記
憶したフラッシュメモリとを備え、前記制御部は、前記フラッシュメモリに記憶された液
晶表示パネル部のサイズ情報と液晶画素の画素数情報と液晶表示パネル部の明るさ情報と
液晶画素の表示変化速度情報とに基づいて、１フレーム期間で順次下方向に走査する黒線
の本数を視覚的に最適に設定し、この設定された本数の黒線が前記液晶表示パネルに挿入
されるように、前記黒線制御信号供給部および前記黒線信号供給部を制御することを特徴
とする液晶表示装置。
【請求項２】
液晶画素に相当する表示素子を有する液晶表示セルが複数個マトリックス状に配列され
た液晶表示パネル部を備えた液晶表示装置において、前記液晶表示パネル部のサイズ情報
と前記液晶画素の画素数情報と前記液晶表示パネル部の明るさ情報と前記液晶画素の表示
変化速度情報とに基づいて、１フレーム期間で順次下方向に走査する黒線の本数を視覚的
に最適に設定し、この設定された本数の黒線が前記液晶表示パネルに挿入されるように制
御を行う制御部を備えたことを特徴とする液晶表示装置。
【請求項３】
液晶画素に相当する表示素子と該表示素子を駆動させるスイッチング素子と有する液晶
表示セルが複数個マトリックス状に配列された液晶表示パネル部と、この液晶表示パネル
部の同一の行方向の液晶表示セル群における各スイッチング素子の制御端子にそれぞれ接
続された行方向の制御線群と、この制御線群の制御線を選択走査して該当スイッチング素
子の制御端子に制御信号を供給する制御信号供給部と、前記液晶表示パネル部の同一の列
方向の液晶表示セル群における各スイッチング素子の映像信号端子にそれぞれ接続された
列方向の映像信号線群と、この映像信号線群の映像信号線を選択走査して該当スイッチン
グ素子の映像信号端子に映像信号を供給する映像信号供給部とを備えた液晶表示装置にお
いて、前記液晶表示パネル部のサイズ情報と前記液晶画素の画素数情報と前記液晶表示パ
ネル部の明るさ情報と前記液晶画素の表示変化速度情報とに基づいて、１フレーム期間で
順次下方向に走査する黒線の本数を視覚的に最適に設定し、この設定された本数の黒線が
前記液晶表示パネルに挿入されるように制御を行う制御部を備えたことを特徴とする液晶
表示装置。
【請求項４】
前記液晶表示パネル部の各液晶表示セルに設けられ各表示素子に黒線信号を印加する各
黒線信号印加用スイッチング素子と、各黒線信号印加用スイッチング素子の黒制御端子に
それぞれ接続された行方向の黒制御線群と、この黒制御線群の黒制御線を選択走査して該
当黒線信号印加用スイッチング素子の黒制御端子に黒線制御信号を供給する黒線制御信号
供給部と、同一の列方向の各黒線信号印加用スイッチング素子の黒線信号端子にそれぞれ
接続された列方向の黒線信号線群と、この黒線信号線群の黒線信号線を選択走査して該当
黒線信号印加用スイッチング素子の黒線信号端子に黒線信号を供給する黒線信号供給部と
、前記液晶表示パネル部のサイズ情報と前記液晶画素の画素数情報と前記液晶表示パネル
部の明るさ情報と前記液晶画素の表示変化速度情報とを記憶したフラッシュメモリとを設
け、前記制御部は、前記制御信号供給部および前記映像信号供給部を制御すると共に、前
記フラッシュメモリに記憶された液晶表示パネル部のサイズ情報と液晶画素の画素数情報
と液晶表示パネル部の明るさ情報と液晶画素の表示変化速度情報とに基づいて、１フレー
ム期間で順次下方向に走査する黒線の本数を視覚的に最適に設定し、この設定された本数
の黒線が前記液晶表示パネルに挿入されるように、前記黒線制御信号供給部および前記黒
線信号供給部を制御することを特徴とする請求項３に記載の液晶表示装置。
【発明の詳細な説明】
【技術分野】
【０００１】
本発明は、テレビ受信機やパーソナルコンピュータなどのディスプレイ装置として用い
られる液晶表示装置に関する。
【背景技術】
【０００２】
近年、テレビ受信機やパーソナルコンピュータなどのディスプレイ装置は、従来の陰極
線管（ＣＲＴ）に代り、軽量で薄型かつ低消費電力の液晶表示装置（ＬＣＤ）が用いられ
るようになってきている。
【０００３】
液晶表示装置は、二つの基板の間に注入されている異方性誘電率を有する液晶層に電界
を印加し、この電界の強さを調節して基板を透過する光の量を調節することによって所望
の映像を得るようになっている。このような液晶表示装置は、携帯の簡便なフラットパネ
ル型ディスプレイ装置のうちの代表的なものであり、この中でも薄膜トランジスタ（ＴＦ
Ｔ）をスイッチング素子として用いたものが普及している。
【０００４】
ところで、パーソナルコンピュータに用いられる液晶表示装置は、従来、主に静止画像
を扱っていたが、近年、動画像も扱うようになり、また、テレビ受信機に用いられる液晶
表示装置では、もちろん動画像も扱うことになり、このような液晶表示装置としては、動
画像に対する応答速度の速いものが要求される。
【０００５】
ここで、動画像に対する応答速度の速い液晶表示装置を実現するには、次のような課題
を解決しなければならない。即ち、一般的に液晶表示装置の液晶表示パネルにおいては、
ある中間調から別の中間調に変更させる時間は長く、中間調を１フレーム期間（例えば、
６０Ｈｚのプログレッシブスキャンの場合は１６．７ｍｓｅｃ）内で表示することができ
ず、残像が発生するという課題を解決しなければならない。また、液晶表示装置において
は、液晶に電界を印加することによって蓄えられた電荷が、次の電界を印加するまで比較
的高い割合で保持されるため、液晶画素が次のフレームの映像信号に基づく電界印加によ
り書き換えられるまで発光し続け、動画像を表示した場合に、視聴者には動き部分の輪郭
がぼけて知覚されてしまう、所謂、画像のぼけが生じるという課題を解決しなければなら
ない。
【０００６】
そこで、入力映像信号の１フレーム期間内において映像信号と黒線信号とを繰り返し、
液晶表示パネルに書き込むことにより、ある映像信号のフレームを走査してから次のフレ
ームを走査するまで、画素の発光時間（画像表示期間）を短縮して、擬似的なインパルス
型表示方式を実現する、所謂、黒表示信号書き込み型の液晶表示装置が提案されている（
例えば、特許文献１，２，３，４，５参照）。
【０００７】
即ち、このような従来の液晶表示装置は、電極駆動部において、各走査線を画像表示の
ために選択する以外に、黒表示のために再度各走査線を選択するとともに、それに応じて
入力映像信号および黒線信号をデータ線へ供給するという一連の動作を１フレーム周期で
行うことで、あるフレーム画像表示と次のフレーム画像表示との間に黒線信号を表示する
黒表示期間を発生させるものである。
【特許文献１】特開平９−１２７９１７号公報
【特許文献２】特開平１１−１０９９２１号公報
【特許文献３】特開２００４−２５３８２７号公報
【特許文献４】特開平９−１８８１４号公報
【特許文献５】特開２００２−１２３２２３号公報
【特許文献６】特開２００１−４２２８２号公報
【特許文献７】特開２００４−３０１９８４号公報
【特許文献８】特開２００３−３１５７６５号公報
【発明の開示】
【発明が解決しようとする課題】
【０００８】
しかしながら、前述したような従来の液晶表示装置では、黒表示期間が増大すれば、映
像表示期間が短縮して映像が暗くなるので、液晶表示パネルの裏面に配設されたバックラ
イト光源の発光輝度を増大させることで、映像の表示輝度を向上させることができるが、
バックライト光源の発光輝度を増大すると、バックライト光源の寿命が短くなり、また、
消費電力も大きくなるという課題が生じる。
【０００９】
なお、特許文献６の従来技術では、各フレーム毎にデータ画面と黒画面とを交互に繰り
返すようにしているが、黒表示期間が増大するので、前記にような課題を解決できるもの
ではない。特許文献７の従来技術では、Ｎフレーム期間中の（Ｎ−１）フレーム期間はＲ
ＧＢデータ信号を、１フレーム期間は黒表示データ信号を、データドライバに供給し、Ｎ
フレームに１回、黒画面を表示するようにしているが、データ画面に比べて黒画面の周期
が少ないので、残像が起きるのを、あまり抑えることができない傾向にある。また、特許
文献８の従来技術では、映像画像と映像画像との間に別画像を挿入しているが、別画像を
生成しなければならず、また、別画像に対する残像も生じるので、適切であるとは言えな
い。
【００１０】
本発明は、上記のような課題を解決するためになされたもので、最適な幅の黒線を挿入
することにより、残像およびチラツキを防止できるようにした液晶表示装置を提供するこ
とを目的とする。
【課題を解決するための手段】
【００１１】
上記目的を達成するために、請求項１の発明は、液晶画素に相当する表示素子と該表示
素子を駆動させるスイッチング素子と有する液晶表示セルが複数個マトリックス状に配列
された液晶表示パネル部と、この液晶表示パネル部の同一の行方向の液晶表示セル群にお
ける各スイッチング素子の制御端子にそれぞれ接続された行方向の制御線群と、この制御
線群の制御線を選択走査して該当スイッチング素子の制御端子に制御信号を供給する制御
信号供給部と、前記液晶表示パネル部の同一の列方向の液晶表示セル群における各スイッ
チング素子の映像信号端子にそれぞれ接続された列方向の映像信号線群と、この映像信号
線群の映像信号線を選択走査して該当スイッチング素子の映像信号端子に映像信号を供給
する映像信号供給部とを備えた液晶表示装置において、前記液晶表示パネル部の各液晶表
示セルに設けられ各表示素子に黒線信号を印加する各黒線信号印加用スイッチング素子と
、各黒線信号印加用スイッチング素子の黒制御端子にそれぞれ接続された行方向の黒制御
線群と、この黒制御線群の黒制御線を選択走査して該当黒線信号印加用スイッチング素子
の黒制御端子に黒線制御信号を供給する黒線制御信号供給部と、同一の列方向の各黒線信
号印加用スイッチング素子の黒線信号端子にそれぞれ接続された列方向の黒線信号線群と
、この黒線信号線群の黒線信号線を選択走査して該当黒線信号印加用スイッチング素子の
黒線信号端子に黒線信号を供給する黒線信号供給部と、前記制御信号供給部と前記映像信
号供給部と前記黒線制御信号供給部と前記黒線信号供給部とを制御する制御部と、前記液
晶表示パネル部のサイズ情報と前記液晶画素の画素数情報と前記液晶表示パネル部の明る
さ情報と前記液晶画素の表示変化速度情報とを記憶したフラッシュメモリとを備え、前記
制御部は、前記フラッシュメモリに記憶された液晶表示パネル部のサイズ情報と液晶画素
の画素数情報と液晶表示パネル部の明るさ情報と液晶画素の表示変化速度情報とに基づい
て、１フレーム期間で順次下方向に走査する黒線の本数を視覚的に最適に設定し、この設
定された本数の黒線が前記液晶表示パネルに挿入されるように、前記黒線制御信号供給部
および前記黒線信号供給部を制御することを特徴とする液晶表示装置を提供する。
【００１２】
この構成において、制御線群の制御線を選択走査して該当スイッチング素子の制御端子
に制御信号を供給する制御信号供給部と、映像信号線群の映像信号線を選択走査して該当
スイッチング素子の映像信号端子に映像信号を供給する映像信号供給部とを制御すること
により、目的とする映像が液晶表示パネル部に表示される。
【００１３】
また、黒制御線群の黒制御線を選択走査して該当黒線信号印加用スイッチング素子の黒
制御端子に黒線制御信号を供給する黒線制御信号供給部と、黒線信号線群の黒線信号線を
選択走査して該当黒線信号印加用スイッチング素子の黒線信号端子に黒線信号を供給する
黒線信号供給部と制御することにより、設定された本数の黒線が液晶表示パネル部に挿入
される。
【００１４】
液晶表示パネル部のサイズ情報と液晶画素の画素数情報と液晶表示パネル部の明るさ情
報と液晶画素の表示変化速度情報とに基づいて設定された黒線の本数が例えば１本であっ
たとすると、この１本の黒線は１フレーム期間で順次下方向に走査され、１フレーム期間
に垂直方向の画素数分全体の走査が完了する。このような処理により、画面はフレーム毎
に全面的に映像が置き換わるのでは無く、水平方向の１画素幅分が順次置き換わることに
なる。
【００１５】
この構成によれば、液晶表示パネル部のサイズ情報と液晶画素の画素数情報と液晶表示
パネル部の明るさ情報と液晶画素の表示変化速度情報とに基づいて黒線の本数が視覚的に
最適に設定され、この設定された本数の黒線が１フレーム期間で順次下方向に走査される
ので、液晶表示パネル部は、処理的には残像が軽減されると共にチラツキ感も少ないもの
となり、この結果、視覚的には残像およびチラツキを感じさせないものとなる。また、バ
ックライト光源の発光輝度を増大しなくても、適切な明るさの映像が得られるので、消費
電力も少なくなり、バックライト光源の寿命も延ばすことができる。
【００１６】
請求項２の発明は、液晶画素に相当する表示素子を有する液晶表示セルが複数個マトリ
ックス状に配列された液晶表示パネル部を備えた液晶表示装置において、前記液晶表示パ
ネル部のサイズ情報と前記液晶画素の画素数情報と前記液晶表示パネル部の明るさ情報と
前記液晶画素の表示変化速度情報とに基づいて、１フレーム期間で順次下方向に走査する
黒線の本数を視覚的に最適に設定し、この設定された本数の黒線が前記液晶表示パネルに
挿入されるように制御を行う制御部を備えたことを特徴とする液晶表示装置を提供する。
【００１７】
この構成において、液晶表示パネル部のサイズ情報と液晶画素の画素数情報と液晶表示
パネル部の明るさ情報と液晶画素の表示変化速度情報とに基づいて設定された黒線の本数
が例えば２本であったとすると、この２本の黒線は１フレーム期間で順次下方向に走査さ
れ、１フレーム期間に垂直方向の画素数分全体の走査が完了する。このような処理により
、画面はフレーム毎に全面的に映像が置き換わるのでは無く、水平方向の２画素幅分が順
次置き換わることになる。
【００１８】
この構成によれば、液晶表示パネル部のサイズ情報と液晶画素の画素数情報と液晶表示
パネル部の明るさ情報と液晶画素の表示変化速度情報とに基づいて黒線の本数が視覚的に
最適に設定され、この設定された本数の黒線が１フレーム期間で順次下方向に走査される
ので、液晶表示パネル部は、処理的には残像が軽減されると共にチラツキ感も少ないもの
となり、この結果、視覚的には残像およびチラツキを感じさせないものとなる。また、バ
ックライト光源の発光輝度を増大しなくても、適切な明るさの映像が得られるので、消費
電力も少なくなり、バックライト光源の寿命も延ばすことができる。
【００１９】
請求項３の発明は、液晶画素に相当する表示素子と該表示素子を駆動させるスイッチン
グ素子と有する液晶表示セルが複数個マトリックス状に配列された液晶表示パネル部と、
この液晶表示パネル部の同一の行方向の液晶表示セル群における各スイッチング素子の制
御端子にそれぞれ接続された行方向の制御線群と、この制御線群の制御線を選択走査して
該当スイッチング素子の制御端子に制御信号を供給する制御信号供給部と、前記液晶表示
パネル部の同一の列方向の液晶表示セル群における各スイッチング素子の映像信号端子に
それぞれ接続された列方向の映像信号線群と、この映像信号線群の映像信号線を選択走査
して該当スイッチング素子の映像信号端子に映像信号を供給する映像信号供給部とを備え
た液晶表示装置において、前記液晶表示パネル部のサイズ情報と前記液晶画素の画素数情
報と前記液晶表示パネル部の明るさ情報と前記液晶画素の表示変化速度情報とに基づいて
、１フレーム期間で順次下方向に走査する黒線の本数を視覚的に最適に設定し、この設定
された本数の黒線が前記液晶表示パネルに挿入されるように制御を行う制御部を備えたこ
とを特徴とする液晶表示装置を提供する。
【００２０】
この構成において、制御線群の制御線を選択走査して該当スイッチング素子の制御端子
に制御信号を供給する制御信号供給部と、映像信号線群の映像信号線を選択走査して該当
スイッチング素子の映像信号端子に映像信号を供給する映像信号供給部とを制御すること
により、目的とする映像が液晶表示パネル部に表示される。
【００２１】
また、液晶表示パネル部のサイズ情報と液晶画素の画素数情報と液晶表示パネル部の明
るさ情報と液晶画素の表示変化速度情報とに基づいて、１フレーム期間で順次下方向に走
査する黒線の本数が視覚的に最適に設定され、この設定された本数の黒線が液晶表示パネ
ルに挿入される。
【００２２】
液晶表示パネル部のサイズ情報と液晶画素の画素数情報と液晶表示パネル部の明るさ情
報と液晶画素の表示変化速度情報とに基づいて設定された黒線の本数が例えば１本であっ
たとすると、この１本の黒線は１フレーム期間で順次下方向に走査され、１フレーム期間
に垂直方向の画素数分全体の走査が完了する。このような処理により、画面はフレーム毎
に全面的に映像が置き換わるのでは無く、水平方向の１画素幅分が順次置き換わることに
なる。
【００２３】
この構成によれば、液晶表示パネル部のサイズ情報と液晶画素の画素数情報と液晶表示
パネル部の明るさ情報と液晶画素の表示変化速度情報とに基づいて黒線の本数が視覚的に
最適に設定され、この設定された本数の黒線が１フレーム期間で順次下方向に走査される
ので、液晶表示パネル部は、処理的には残像が軽減されると共にチラツキ感も少ないもの
となり、この結果、視覚的には残像およびチラツキを感じさせないものとなる。また、バ
ックライト光源の発光輝度を増大しなくても、適切な明るさの映像が得られるので、消費
電力も少なくなり、バックライト光源の寿命も延ばすことができる。
【００２４】
請求項４の発明では、請求項３の発明において、前記液晶表示パネル部の各液晶表示セ
ルに設けられ各表示素子に黒線信号を印加する各黒線信号印加用スイッチング素子と、各
黒線信号印加用スイッチング素子の黒制御端子にそれぞれ接続された行方向の黒制御線群
と、この黒制御線群の黒制御線を選択走査して該当黒線信号印加用スイッチング素子の黒
制御端子に黒線制御信号を供給する黒線制御信号供給部と、同一の列方向の各黒線信号印
加用スイッチング素子の黒線信号端子にそれぞれ接続された列方向の黒線信号線群と、こ
の黒線信号線群の黒線信号線を選択走査して該当黒線信号印加用スイッチング素子の黒線
信号端子に黒線信号を供給する黒線信号供給部と、前記液晶表示パネル部のサイズ情報と
前記液晶画素の画素数情報と前記液晶表示パネル部の明るさ情報と前記液晶画素の表示変
化速度情報とを記憶したフラッシュメモリとを設け、前記制御部は、前記制御信号供給部
および前記映像信号供給部を制御すると共に、前記フラッシュメモリに記憶された液晶表
示パネル部のサイズ情報と液晶画素の画素数情報と液晶表示パネル部の明るさ情報と液晶
画素の表示変化速度情報とに基づいて、１フレーム期間で順次下方向に走査する黒線の本
数を視覚的に最適に設定し、この設定された本数の黒線が前記液晶表示パネルに挿入され
るように、前記黒線制御信号供給部および前記黒線信号供給部を制御するので、液晶表示
パネル部のサイズ情報と液晶画素の画素数情報と液晶表示パネル部の明るさ情報と液晶画
素の表示変化速度情報とに基づいて黒線の本数が視覚的に最適に設定でき、この設定され
た本数の黒線が１フレーム期間で順次下方向に走査することが可能になる。
【発明の効果】
【００２５】
以上のように本発明によれば、液晶画素に相当する表示素子と該表示素子を駆動させる
スイッチング素子と有する液晶表示セルが複数個マトリックス状に配列された液晶表示パ
ネル部と、この液晶表示パネル部の同一の行方向の液晶表示セル群における各スイッチン
グ素子の制御端子にそれぞれ接続された行方向の制御線群と、この制御線群の制御線を選
択走査して該当スイッチング素子の制御端子に制御信号を供給する制御信号供給部と、前
記液晶表示パネル部の同一の列方向の液晶表示セル群における各スイッチング素子の映像
信号端子にそれぞれ接続された列方向の映像信号線群と、この映像信号線群の映像信号線
を選択走査して該当スイッチング素子の映像信号端子に映像信号を供給する映像信号供給
部とを備えた液晶表示装置において、前記液晶表示パネル部の各液晶表示セルに設けられ
各表示素子に黒線信号を印加する各黒線信号印加用スイッチング素子と、各黒線信号印加
用スイッチング素子の黒制御端子にそれぞれ接続された行方向の黒制御線群と、この黒制
御線群の黒制御線を選択走査して該当黒線信号印加用スイッチング素子の黒制御端子に黒
線制御信号を供給する黒線制御信号供給部と、同一の列方向の各黒線信号印加用スイッチ
ング素子の黒線信号端子にそれぞれ接続された列方向の黒線信号線群と、この黒線信号線
群の黒線信号線を選択走査して該当黒線信号印加用スイッチング素子の黒線信号端子に黒
線信号を供給する黒線信号供給部と、前記制御信号供給部と前記映像信号供給部と前記黒
線制御信号供給部と前記黒線信号供給部とを制御する制御部と、前記液晶表示パネル部の
サイズ情報と前記液晶画素の画素数情報と前記液晶表示パネル部の明るさ情報と前記液晶
画素の表示変化速度情報とを記憶したフラッシュメモリとを備え、前記制御部は、前記フ
ラッシュメモリに記憶された液晶表示パネル部のサイズ情報と液晶画素の画素数情報と液
晶表示パネル部の明るさ情報と液晶画素の表示変化速度情報とに基づいて、１フレーム期
間で順次下方向に走査する黒線の本数を視覚的に最適に設定し、この設定された本数の黒
線が前記液晶表示パネルに挿入されるように、前記黒線制御信号供給部および前記黒線信
号供給部を制御するので、液晶表示パネル部のサイズ情報と液晶画素の画素数情報と液晶
表示パネル部の明るさ情報と液晶画素の表示変化速度情報とに基づいて黒線の本数が視覚
的に最適に設定され、この設定された本数の黒線が１フレーム期間で順次下方向に走査さ
れ、これにより、液晶表示パネル部は、処理的には残像が軽減されると共にチラツキ感も
少ないものとなり、この結果、視覚的には残像およびチラツキを感じさせないものとなる
。また、バックライト光源の発光輝度を増大しなくても、適切な明るさの映像が得られる
ので、消費電力も少なくなり、バックライト光源の寿命も延ばすことができる。
【００２６】
また、本発明によれば、液晶画素に相当する表示素子を有する液晶表示セルが複数個マ
トリックス状に配列された液晶表示パネル部を備えた液晶表示装置において、前記液晶表
示パネル部のサイズ情報と前記液晶画素の画素数情報と前記液晶表示パネル部の明るさ情
報と前記液晶画素の表示変化速度情報とに基づいて、１フレーム期間で順次下方向に走査
する黒線の本数を視覚的に最適に設定し、この設定された本数の黒線が前記液晶表示パネ
ルに挿入されるように制御を行う制御部を備えたので、液晶表示パネル部のサイズ情報と
液晶画素の画素数情報と液晶表示パネル部の明るさ情報と液晶画素の表示変化速度情報と
に基づいて黒線の本数が視覚的に最適に設定され、この設定された本数の黒線が１フレー
ム期間で順次下方向に走査され、これにより、液晶表示パネル部は、処理的には残像が軽
減されると共にチラツキ感も少ないものとなり、この結果、視覚的には残像およびチラツ
キを感じさせないものとなる。また、バックライト光源の発光輝度を増大しなくても、適
切な明るさの映像が得られるので、消費電力も少なくなり、バックライト光源の寿命も延
ばすことができる。
【００２７】
また、本発明によれば、液晶画素に相当する表示素子と該表示素子を駆動させるスイッ
チング素子と有する液晶表示セルが複数個マトリックス状に配列された液晶表示パネル部
と、この液晶表示パネル部の同一の行方向の液晶表示セル群における各スイッチング素子
の制御端子にそれぞれ接続された行方向の制御線群と、この制御線群の制御線を選択走査
して該当スイッチング素子の制御端子に制御信号を供給する制御信号供給部と、前記液晶
表示パネル部の同一の列方向の液晶表示セル群における各スイッチング素子の映像信号端
子にそれぞれ接続された列方向の映像信号線群と、この映像信号線群の映像信号線を選択
走査して該当スイッチング素子の映像信号端子に映像信号を供給する映像信号供給部とを
備えた液晶表示装置において、前記液晶表示パネル部のサイズ情報と前記液晶画素の画素
数情報と前記液晶表示パネル部の明るさ情報と前記液晶画素の表示変化速度情報とに基づ
いて、１フレーム期間で順次下方向に走査する黒線の本数を視覚的に最適に設定し、この
設定された本数の黒線が前記液晶表示パネルに挿入されるように制御を行う制御部を備え
たので、液晶表示パネル部のサイズ情報と液晶画素の画素数情報と液晶表示パネル部の明
るさ情報と液晶画素の表示変化速度情報とに基づいて黒線の本数が視覚的に最適に設定さ
れ、この設定された本数の黒線が１フレーム期間で順次下方向に走査され、これにより、
液晶表示パネル部は、処理的には残像が軽減されると共にチラツキ感も少ないものとなり
、この結果、視覚的には残像およびチラツキを感じさせないものとなる。また、バックラ
イト光源の発光輝度を増大しなくても、適切な明るさの映像が得られるので、消費電力も
少なくなり、バックライト光源の寿命も延ばすことができる。
【発明を実施するための最良の形態】
【００２８】
以下、添付図面を参照しつつ、本発明の実施の形態について説明する。図１は本発明の
一実施形態に係る液晶表示装置の構成を示すブロック図である。
【００２９】
図１において、この液晶表示装置は、液晶画素に相当する表示素子１１と該表示素子１
１を駆動させるスイッチング素子としての薄膜トランジスタ（以下ＴＦＴと言う）１２と
有する液晶表示セル１が複数個マトリックス状に配列された液晶表示パネル部１０と、こ
の液晶表示パネル部１０の同一の行方向の液晶表示セル群１における各ＴＦＴ１２の制御
端子としてのゲートにそれぞれ接続された行方向の制御線２群と、この制御線２群の制御
線２を選択走査して該当ＴＦＴ１２のゲートに制御信号を供給する制御信号供給部４と、
液晶表示パネル部１０の同一の列方向の液晶表示セル群１における各ＴＦＴ１２の映像信
号端子としてのソースにそれぞれ接続された列方向の映像信号線３群と、この映像信号線
３群の映像信号線３を選択走査して該当ＴＦＴ１２のソースに映像信号を供給する映像信
号供給部５とを備えている。表示素子１１の負電極１３は全ての液晶表示セル１に対する
共通電極となっている。
【００３０】
また、この液晶表示装置は、各液晶表示セル１に設けられ各表示素子１１に黒線信号を
印加する各黒線信号印加用ＴＦＴ１４と、各黒線信号印加用ＴＦＴ１４の黒線制御端子と
してゲートにそれぞれ接続された行方向の黒線制御線９群と、この黒線制御線９群の黒線
制御線９を選択走査して該当黒線信号印加用ＴＦＴ１４のゲートに黒線制御信号を供給す
る黒線制御信号供給部６と、同一の列方向の各黒線信号印加用ＴＦＴ１４のソースにそれ
ぞれ接続された列方向の黒線信号線８群と、この黒線信号線８群の黒線信号線８を選択走
査して該当黒線信号印加用ＴＦＴ１４のソースに黒線信号を供給する黒線信号供給部７と
を備えている。
【００３１】
更に、この液晶表示装置は、制御信号供給部４と映像信号供給部５と黒線制御信号供給
部６と黒線信号供給部７とを制御する制御部１５と、液晶表示パネル部１０のサイズ情報
と液晶画素の画素数情報（表示素子１１の個数情報）と液晶表示パネル部１０の明るさ情
報と液晶画素（表示素子１１）の表示変化速度情報とを記憶したフラッシュメモリ１６と
を備えている。特に、制御部１５は、フラッシュメモリ１６に記憶された液晶表示パネル
部１０のサイズ情報と液晶画素の画素数情報と液晶表示パネル部１０の明るさ情報と液晶
画素の表示変化速度情報とに基づいて、１フレーム期間で順次下方向に走査する黒線の本
数を視覚的に最適に設定し、この設定された本数の黒線が液晶表示パネル１０に挿入され
るように、黒線制御信号供給部６および黒線信号供給部７を制御する。
【００３２】
黒線の本数を視覚的に最も良い状態に設定するには、使用する液晶表示装置においては
、液晶表示パネル部のサイズ、液晶画素の画素数、液晶表示パネル部の明るさ（バックラ
イト光源の明るさを標準にしたときの明るさ）、および液晶画素の表示変化速度が、予め
設計段階で決まっているので、黒線の本数を１本から順次増やして行き、視覚的に残像お
よびチラツキを最も感じないときの黒線の本数を設定し、この設定された本数の黒線が１
フレーム期間で順次下方向に走査するように、制御部１５は黒線制御信号供給部６および
黒線信号供給部７を制御する。
【００３３】
例えば、黒線の最適な本数が１本であれば、液晶表示パネル部１０における液晶表示セ
ル１を１行づつ１フレーム期間内で順次下方向に駆動させれば良い。また、黒線の最適な
本数が２本であれば、液晶表示パネル部１０における液晶表示セル１を２行づつ１フレー
ム期間内で順次下方向に駆動させれば良い。このような駆動により、最適な本数の黒線が
１フレーム期間内で順次下方向に液晶表示パネル部１０を順次走査されるので、視覚的に
は残像およびチラツキを感じさせないものとなる。
【００３４】
図２は本実施形態において１フレームの垂直走査期間内における液晶画素の書き込みと
消去のタイミングを説明するためのタイミングチャートである。図２（１）は液晶表示パ
ネル部１０の液晶表示セル１を駆動させるタイミングの基準となる垂直同期信号を示す。
図２（２）は液晶表示パネル部１０における液晶表示セル１の表示素子１１への映像信号
の書き込みをスタートさせる表示書き込みスタートパルスを示す。図２（３）は液晶表示
パネル部１０における液晶表示セル１の表示素子１１への黒線信号の書き込みをスタート
させる黒書き込みスタートパルスを示す。
【００３５】
図３は本実施形態において１フレーム期間で黒線が走査される状態を説明するための図
である。図３に示すように、映像Ａの水平方向に例えば１画素幅分の輝度ゼロの黒線がＢ
１，Ｂ２，Ｂ３，・・・Ｂ（ｎ−３），Ｂ（ｎ−２），Ｂ（ｎ−１），Ｂｎで示すように
垂直方向に走査され、１フレーム期間で垂直方向の画素数分全体の黒線の走査が完了する
。
【００３６】
次に図１〜図３を参照して本実施形態の液晶表示装置の動作について説明する。この液
晶表示装置に電源を投入すると、図示しないバックライト光源からの光が液晶表示パネル
１０の裏面に照射され、液晶表示パネル１０に映像を表示させるため、制御部１５は、図
示しない例えばテレビ受信機の信号処理回路からの映像信号を入力して映像信号供給部５
に出力し、また、前記信号処理回路からの垂直同期信号（図２（１）参照）を入力して、
この垂直同期信号に同期した映像書き込みスタートパルス（図２（２）参照）を制御信号
供給部４に出力すると共に、映像書き込みパルスの発生よりも所定タイミング遅らせて黒
線書き込みスタートパルス（図２（３）参照）を黒線制御信号供給部６に出力する。
【００３７】
また、制御部１５は、フラッシュメモリ１６から液晶表示パネル部１０のサイズ情報と
液晶画素の画素数情報と液晶表示パネル部１０の明るさ情報と液晶画素の表示変化速度情
報とを読み出し、これらの情報に基づいて、１フレーム期間で順次下方向に走査する黒線
の本数を視覚的に最適に設定し、この設定された本数の黒線が液晶表示パネル１０に挿入
されるように、黒線制御信号供給部６および黒線信号供給部７を制御する。
【００３８】
映像信号供給部５は、液晶表示パネル部１０のＴＦＴ１２のソースに映像信号を与え、
制御信号供給部４は、同じくＴＦＴ１２のゲートに駆動信号を与えることにより、例えば
、図３に示すような映像Ａが１フレーム期間で液晶表示パネル１０に表示される。
【００３９】
詳しくは、ある１フレームの垂直走査期間内に制御信号供給部４によって任意に選択さ
れた制御線（制御線２群の制御線）が駆動されると、選択された制御線と映像信号線３群
に接続されたＴＦＴ１２群を通じて映像信号供給部５より表示素子（液晶画素）１１群に
映像信号の電圧に相当する電圧が印加される。このように映像信号の電圧を入力する映像
信号線３に対応して制御線２の駆動を順次変更することにより、１画面に対する映像信号
の書き込みを行うことができる。
【００４０】
また、この時、黒線信号供給部７は、液晶表示パネル部１０のＴＦＴ１４のソースに黒
線信号を与え、黒線制御信号供給部６は、同じくＴＦＴ１４のゲートに駆動信号を与える
ことにより、例えば、図３に示すように映像Ａに黒線Ｂ１，Ｂ２，Ｂ３，・・・Ｂ（ｎ−
３），Ｂ（ｎ−２），Ｂ（ｎ−１），Ｂｎが１フレーム期間で挿入される。
【００４１】
詳しくは、同じ１フレームの垂直走査期間内に、黒線制御信号供給部６によって上から
順に選択された黒線制御線９が駆動されると、選択された黒線制御線９と黒線信号線８群
に接続されたＴＦＴ１４群を通じて黒線信号供給部７より表示素子１１群に黒線信号の電
圧に相当する電圧が印加される。このような動作を、駆動する黒線制御線９を変更して繰
り返すことにより、１フレーム期間で垂直方向の画素数分全体の黒線の走査が完了する。
【００４２】
これらの一連の動作を、同時に同じ表示素子１１に電圧を印加することがないように制
御線２と黒線制御線９とを駆動し、１フレームの垂直走査期間内に１画面の書込みと１画
素幅分（黒線の本数が１本の場合）の順次消去とを同時に行うことによって、液晶表示パ
ネル部１０は、処理的には残像が軽減されると共にチラツキ感も少ないものとなり、この
結果、視覚的には残像およびチラツキを感じさせないものとなる。
【００４３】
即ち、本実施形態では、各画素（各液晶表示セル１の表示素子１１）が一旦輝度ゼロに
なった後に、次の映像信号に置き換わるため、液晶表示装置の特有の残像およびチラツキ
を抑えることができ、しかも、黒線の本数は、液晶表示パネル部１０のサイズ情報と液晶
画素の画素数情報と液晶表示パネル部１０の明るさ情報と液晶画素の表示変化速度情報と
に基づいて最適な本数に設定されるので、残像およびチラツキは視覚的には無くなり、人
間の目には鮮明な映像が映し出される。また、バックライト光源の発光輝度を増大しなく
ても、適切な明るさの映像が得られるので、消費電力も少なくなり、バックライト光源の
寿命も延ばすことができる。
【００４４】
なお、上記実施形態では、黒線の本数が１本の場合について説明したが、視覚的には残
像およびチラツキを感じさせない黒線の本数がｍ本であれば、黒線ｍ本分を一束として処
理を行えば良い。
【図面の簡単な説明】
【００４５】
【図１】本発明の一実施形態に係る液晶表示装置の構成を示すブロック図である。
【図２】前記実施形態において１フレームの垂直走査期間内における液晶画素の書き込みと消去のタイミングを説明するためのタイミングチャートである。
【図３】本実施形態において１フレーム期間で黒線が走査される状態を説明するための図である。
【符号の説明】
【００４６】
１    液晶表示セル
２    制御線
３    映像信号線
４    制御信号供給部
５    映像信号供給部
６    黒線制御信号供給部
７    黒線信号供給部
８    黒線信号線
９    黒線制御線
１０    液晶表示パネル部
１１    表示素子（液晶画素）
１２    ＴＦＴ（スイッチング素子）
１４    ＴＦＴ（黒線信号印加用スイッチング素子）
１５    制御部
１６    フラッシュメモリ
【図１】
2006301213.tif 000003
【図２】
2006301213.tif 000004
【図３】
2006301213.tif 000005